(57)【要約】【課題】装置中心軸の全周囲に配光する使用状態と、装置中心軸の周囲の一部分に配光する使用状態との双方に対応できる発光装置を提供する。【解決手段】発光装置１Ａは、支柱３と、支柱３に取り付けられた３個以上の光源ユニット２と、を備え、支柱３の中心線が装置中心軸になり、装置中心軸に平行な方向から見たときに３個以上の光源ユニット２からの光照射方向が放射状になる第一使用状態と、装置中心軸に平行な方向から見たときに３個以上の光源ユニット２からの光照射方向が第一使用状態に比べて片寄った方向になる第二使用状態とに、３個以上の光源ユニット２の配置状態を変更可能であり、すべての光源ユニット２、または、すべての光源ユニット２のうちの一つ以外の光源ユニット２、の各々の支柱３に対する取り付け位置を、装置中心軸を中心に当該光源ユニット２を回転移動した他の位置に変えることで、第一使用状態と第二使用状態とに変更可能である。【選択図】図１
2016058139.tif 000002
【特許請求の範囲】
【請求項１】
支柱と、
前記支柱に取り付けられた３個以上の光源ユニットと、
を備え、
前記支柱の中心線が装置中心軸になり、
前記装置中心軸に平行な方向から見たときに前記３個以上の前記光源ユニットからの光照射方向が放射状になる第一使用状態と、前記装置中心軸に平行な方向から見たときに前記３個以上の前記光源ユニットからの光照射方向が前記第一使用状態に比べて片寄った方向になる第二使用状態とに、前記３個以上の前記光源ユニットの配置状態を変更可能であり、
すべての前記光源ユニット、または、すべての前記光源ユニットのうちの一つ以外の前記光源ユニット、の各々の前記支柱に対する取り付け位置を、前記装置中心軸を中心に当該光源ユニットを回転移動した他の位置に変えることで、前記第一使用状態と前記第二使用状態とに変更可能である発光装置。
【請求項２】
前記３個以上の前記光源ユニットを全体的に前記装置中心軸を中心として回転可能な全体回転部を備える請求項１に記載の発光装置。
【請求項３】
すべての前記光源ユニットのうち、一つの前記光源ユニットは前記支柱に対して回転移動不能に固定され、他の前記光源ユニットは前記支柱に対する取り付け位置が前記装置中心軸を中心に回転移動した他の位置に変えられるように前記支柱に取り付けられている請求項１または請求項２に記載の発光装置。
【請求項４】
前記支柱に対する取り付け位置が前記装置中心軸を中心に回転移動した他の位置に変えられるように前記支柱に取り付けられている前記光源ユニットは、当該回転移動の角度を連続的に調整可能である請求項１から請求項３のいずれか一項に記載の発光装置。
【請求項５】
前記支柱に対する取り付け位置が前記装置中心軸を中心に回転移動した他の位置に変えられるように前記支柱に取り付けられている前記光源ユニットの当該回転移動の角度を複数の角度に選択的に固定する角度固定手段を備える請求項１から請求項３のいずれか一項に記載の発光装置。
【請求項６】
前記第二使用状態のときに中央に位置する１個または２個の前記光源ユニットの光源部と前記装置中心軸との距離が、他の前記光源ユニットの光源部と前記装置中心軸との距離に比べて大きい請求項１から請求項５のいずれか一項に記載の発光装置。
【請求項７】
前記光源ユニットは、発光素子と、前記発光素子の裏面側に設けられたヒートシンクとを有する請求項１から請求項６のいずれか一項に記載の発光装置。
【発明の詳細な説明】
【技術分野】
【０００１】
本発明は、発光装置に関する。
【背景技術】
【０００２】
下記特許文献１には、ＬＥＤ光源（１２）を取り付ける取付面を有する本体（１１）を、口金（コネクタ１４）に対して３６０度回転自在にする枢点部（１４１）を設けることで、光照射方向を調節可能にしたＬＥＤランプが開示されている。
【先行技術文献】
【特許文献】
【０００３】
【特許文献１】実用新案登録第３１７９７５０号公報
【発明の概要】
【発明が解決しようとする課題】
【０００４】
特許文献１のＬＥＤランプは、光照射方向が一方向であるため、全周囲に配光すべき用途には使用できない。全周囲に配光すべき用途に対しては、他のＬＥＤランプを使用する必要がある。全周囲に配光する用途と、特定の方向に配光する用途との両方がある場合には、全周囲に配光するＬＥＤランプと、特定の方向に配光するＬＥＤランプとの両方を用意し、両者を使い分ける必要があるので、コストが高くなる。
【０００５】
本発明は、上述のような課題を解決するためになされたもので、装置中心軸の全周囲に配光する使用状態と、装置中心軸の周囲の一部分に配光する使用状態との双方に対応できる発光装置を提供することを目的とする。
【課題を解決するための手段】
【０００６】
本発明に係る発光装置は、支柱と、支柱に取り付けられた３個以上の光源ユニットと、を備え、支柱の中心線が装置中心軸になり、装置中心軸に平行な方向から見たときに３個以上の光源ユニットからの光照射方向が放射状になる第一使用状態と、装置中心軸に平行な方向から見たときに３個以上の光源ユニットからの光照射方向が第一使用状態に比べて片寄った方向になる第二使用状態とに、３個以上の光源ユニットの配置状態を変更可能であり、すべての光源ユニット、または、すべての光源ユニットのうちの一つ以外の光源ユニット、の各々の支柱に対する取り付け位置を、装置中心軸を中心に当該光源ユニットを回転移動した他の位置に変えることで、第一使用状態と第二使用状態とに変更可能である。
【発明の効果】
【０００７】
本発明の発光装置によれば、すべての光源ユニット、または、すべての光源ユニットのうちの一つ以外の光源ユニット、の各々の支柱に対する取り付け位置を、装置中心軸を中心に当該光源ユニットを回転移動した他の位置に変えることで、装置中心軸の全周囲に配光する第一使用状態と、装置中心軸の周囲の一部分に配光する第二使用状態との双方に対応することが可能となる。
【図面の簡単な説明】
【０００８】
【図１】本発明の実施の形態１の発光装置（第一使用状態）を示す斜視図である。
【図２】本発明の実施の形態１の発光装置（第二使用状態）を示す斜視図である。
【図３】第二使用状態の発光装置を、装置中心軸が水平になる姿勢にした状態を示す斜視図である。
【図４】図１に示す発光装置の光源ユニット及び支柱を装置中心軸に平行な方向から見た図である。
【図５】本実施の形態１の発光装置の変形例が備える光源ユニット及び支柱を装置中心軸に平行な方向から見た図である。
【図６】本実施の形態１の発光装置の光源ユニット及び支柱を装置中心軸に垂直な方向から見た図である。
【図７】本発明の実施の形態２の発光装置が備える光源ユニット及び支柱を装置中心軸に平行な方向から見た図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１及び図２は、本発明の実施の形態１の発光装置を示す斜視図である。これらの図に示すように、本実施の形態１の発光装置１Ａは、光源ユニット２と、支柱３と、口金４と、基部５と、全体回転部６とを備える。口金４としては、例えば、Ｅ３９口金（Φ３９ｍｍ）、Ｅ２６口金（Φ２６ｍｍ）等のねじ込み式の口金が好ましく使用できる。口金４の中心を通る直線が、発光装置１Ａの中心軸になる。発光装置１Ａの中心軸を「装置中心軸」と称する。口金４は、ソケット（図示省略）に対して固定される。口金４は、光源ユニット２に供給される電力の電気接点としての機能、及び、発光装置１Ａを使用箇所に固定する固定部としての機能を有する。
【００１１】
支柱３の中心線は、装置中心軸に一致する。本実施の形態１の支柱３の断面形状は、支柱３のほぼ全長に渡って円形である。支柱３には、発光装置１Ａが備える３個の光源ユニット２が取り付けられている。３個の光源ユニット２は、互いにほぼ同様の構成である。
【００１２】
光源ユニット２は、光源基板２ａと、光源基板２ａの一面側（表面側）に設けられた発光素子２ｂと、光源基板２ａの他面側（裏面側）に設けられたヒートシンク２ｃと、支柱３に連結される支持部２ｄとを有する。光源基板２ａは、装置中心軸に対して平行になる。装置中心軸に対して平行な方向の光源ユニット２の長さは、装置中心軸に対して垂直で光源基板２ａに平行な方向の長さに比べて、長い。すなわち、光源ユニット２は、装置中心軸に平行な方向を長手方向とする形状を有する。本実施の形態１の光源ユニット２の形状は、光源基板２ａに垂直な方向から見て、略長方形である。
【００１３】
光源基板２ａは、有機材料基板またはセラミックス系基板などでもよいが、アルミニウムまたは鉄などの金属系基板で構成することが好ましい。光源基板２ａを金属系基板で構成することにより、放熱性を高めるとともに、振動への耐久性を向上することができる。また、光損失を抑えるため、光源基板２ａの表面に、白色系塗料などで表面レジスト処理を行っても良い。
【００１４】
本実施の形態１の発光素子２ｂは、ＬＥＤ（Ｌｉｇｈｔ  Ｅｍｉｔｔｉｎｇ  Ｄｉｏｄｅ）光源である。例えば、１Ｗ〜数Ｗ級の面実装型小型ＬＥＤパッケージを発光素子２ｂとして用いることができる。複数の発光素子２ｂを光源基板２ａに実装している。
【００１５】
ヒートシンク２ｃは、光源基板２ａを取り付ける取付面を有する平板状の伝熱部２ｅと、伝熱部２ｅの当該取付面の反対側の面から突出する複数のフィン２ｆとを有する。本実施の形態１におけるフィン２ｆの形状は、光源ユニット２の長手方向に沿って延びる板状であるが、ヒートシンク２ｃのフィンは、板状のものに限定されることはなく、例えばピンフィン（ピン型のフィン）などでも良い。光源基板２ａの裏面は、伝熱部２ｅの一面側（フィン２ｆの反対側）に接触する。発光素子２ｂの熱は、光源基板２ａから伝熱部２ｅへ伝わり、さらにフィン２ｆへ伝わる。この熱は、フィン２ｆの表面から、輻射、対流熱伝達などにより、空気中へ放散する。ヒートシンク２ｃを設けることで、発光素子２ｂの温度が低くなり、発光効率の向上及び長寿命化が図れる。光源基板２ａと、ヒートシンク２ｃの伝熱部２ｅとは、一体的に設けられていても良い。
【００１６】
本発明において光源ユニット２が用いる発光素子は、図示の構成に限定されるものではない。例えば数千〜数万ｌｍ／個の大光束のＣＯＢ（Ｃｈｉｐ  ｏｎ  Ｂｏａｒｄ）型のＬＥＤ光源を発光素子として用いてもよい。ＣＯＢ型のＬＥＤ光源は、金属系基板もしくはセラミック基板等の放熱性基板に複数のＬＥＤベアチップを直接に実装して樹脂封止する構成としたものである。ＣＯＢ型のＬＥＤ光源を用いる場合、ヒートシンク２ｃの伝熱部２ｅの取付面にＣＯＢ型ＬＥＤ光源を直接取り付けても良い。また、本発明における光源ユニット２は、ＬＥＤ光源に限らず、例えば有機ＥＬ（Ｅｌｅｃｔｒｏ−Ｌｕｍｉｎｅｓｃｅｎｃｅ）光源等を発光素子として用いてもよい。
【００１７】
ヒートシンク２ｃの伝熱部２ｅと光源基板２ａとの接触面は、装置中心軸に対し平行である。本実施の形態１では、光源ユニット２において、ヒートシンク２ｃの伝熱部２ｅと光源基板２ａとの接触面に対して垂直な方向であって、発光素子２ｂから発せられた光が進む方向を「光照射方向」と言うものとする。本実施の形態１では、光源ユニット２の光照射方向は、装置中心軸に対して垂直になる。
【００１８】
支持部２ｄは、ヒートシンク２ｃの伝熱部２ｅの裏面から支柱３に向かって突出し、支柱３に連結される。本実施の形態１では、光源ユニット２の長手方向の一端側と他端側とにそれぞれ支持部２ｄが設けられる。各々の光源ユニット２は、２箇所の支持部２ｄを介して、支柱３に支持される。支柱３に対する支持部２ｄの取り付け位置は、装置中心軸を中心に当該支持部２ｄを回転移動した他の位置に変えることができる。これにより、支柱３に対する各々の光源ユニット２の取り付け位置は、装置中心軸を中心に当該光源ユニット２を回転移動した他の位置に変えることができる。
【００１９】
基部５は、口金４に固定されている。基部５は、中心軸が装置中心軸に一致する略円柱状または略円筒状の形状を有する。全体回転部６は、基部５に対して回転可能に連結されている。全体回転部６は、装置中心軸を中心として、基部５に対して回転可能である。全体回転部６は、中心軸が装置中心軸に一致する略円柱状または略円筒状の形状を有する。全体回転部６の外径は、基部５の外径より小さい。支柱３の一端側は、全体回転部６に固定されている。支柱３は、全体回転部６と一体となって、口金４及び基部５に対して回転する。口金４及び基部５に対して全体回転部６を回転させることで、支柱３が口金４及び基部５に対して装置中心軸を中心として回転する。
【００２０】
発光装置１Ａは、３個の光源ユニット２の配置状態を、図１に示す第一使用状態と、図２に示す第二使用状態とに変更可能である。発光装置１Ａは、すべての光源ユニット２（本実施の形態１では３個の光源ユニット２）、または、すべての光源ユニット２のうちの一つ以外の光源ユニット２（本実施の形態１では２個の光源ユニット２）、の各々の支柱３に対する取り付け位置を、装置中心軸を中心に当該光源ユニット２を回転移動した他の位置に変えることで、第一使用状態と第二使用状態とに変更可能である。
【００２１】
図１に示す第一使用状態では、装置中心軸に平行な方向から見たときに、３個の光源ユニット２からの光照射方向が放射状になる。第一使用状態では、３個の光源ユニット２は、装置中心軸の周りに、ほぼ等角度間隔（本実施の形態１では１２０°間隔）で配置される。本実施の形態１では、装置中心軸に平行な方向から見たときに、第一使用状態において、３個の光源ユニット２からの光照射方向は、中心からほぼ等角度間隔（本実施の形態１では１２０°間隔）で三方へ放射状に広がる。第一使用状態では、発光装置１Ａは、装置中心軸を囲む周の全周囲へ配光できる。例えば、装置中心軸を鉛直方向とする姿勢で発光装置１Ａを設置するような用途においては、全周囲へ配光できる第一使用状態が適する。第一使用状態では、隣り合う光源ユニット２の間に、ヒートシンク２ｃを冷却する空気が通過可能な風路１０が形成される。風路１０を空気が通ることで、ヒートシンク２ｃからさらに効率良く熱を放散することができ、優れた冷却効果が得られる。
【００２２】
図１中で左側にある一つの光源ユニット２以外の二つの光源ユニット２の取り付け位置を、当該一つの光源ユニット２に近付ける方向に回転移動させることで、図２に示す第二使用状態に変えることができる。第二使用状態では、装置中心軸に平行な方向から見たときに、３個の光源ユニット２からの光照射方向が、第一使用状態に比べて片寄った方向になる。第二使用状態では、発光装置１Ａは、装置中心軸を囲む周の一部分へ配光できる。
【００２３】
図３は、第二使用状態の発光装置１Ａを、装置中心軸が水平になる姿勢にした状態を示す斜視図である。例えば、街路灯のような器具に発光装置１Ａを装着して使用する場合には、装置中心軸が水平になる姿勢、または装置中心軸が水平に近くなる姿勢で発光装置１Ａが設置される場合がある。そのような用途においては、第二使用状態とすることで、下方を集中的に照らすことが可能となる。
【００２４】
上述したように、発光装置１Ａによれば、装置中心軸の全周囲に配光する第一使用状態と、装置中心軸の周囲の一部に配光する第二使用状態との双方に対応できる。このため、一種類の発光装置１Ａで多様な用途に対応できるので、コストを抑制できる。
【００２５】
第二使用状態では、光源ユニット２同士の間に、大きい風路１１と、小さい風路１２とが形成される。大きい風路１１は一箇所であり、他の箇所は小さい風路１２である。大きい風路１１は、第一使用状態のときの風路１０に比べて大きい。小さい風路１２は、第一使用状態のときの風路１０に比べて小さい。第二使用状態では、大きい風路１１から多くの空気が入ることで、各光源ユニット２のヒートシンク２ｃから効率良く熱を放散することができ、優れた冷却効果が得られる。
【００２６】
図２及び図３に示すように、第二使用状態では、装置中心軸に平行な方向から見たときの、３個の光源ユニット２からの光照射方向が、中心角が１８０°以下の扇形の範囲に収まる。このように、第二使用状態のときの各光源ユニット２からの光照射方向が、中心角が１８０°以下の扇形の範囲に収まるようにすることで、第二使用状態のときの配光を特定の方向に十分に集中させることができる。
【００２７】
図４は、図１に示す発光装置１Ａの光源ユニット２及び支柱３を、装置中心軸に平行な方向から見た図である。図４では、支柱３を断面で示す。図４に示すように、光源ユニット２の支持部２ｄは、支柱３を通す穴２ｇを有する。穴２ｇは、円形である。穴２ｇの内径は、支柱３の外径に対応する。穴２ｇの内側に支柱３がほぼ隙間無く嵌合する。穴２ｇの内周面と支柱３の外周面との間の摩擦力で、支持部２ｄを支柱３に固定できる。その摩擦力に対応するトルクを超えるトルクを支持部２ｄに加えることで、支持部２ｄを支柱３に対して回転させることができる。支持部２ｄを支柱３に対して任意の角度だけ回転させた位置で、穴２ｇの内周面と支柱３の外周面との間の摩擦力により、支持部２ｄを支柱３に再度固定できる。本実施の形態１では、このようにすることで、支柱３に対する支持部２ｄの取り付け位置を、装置中心軸を中心に当該支持部２ｄを任意の角度だけ回転移動した他の位置に変えることができる。これにより、支柱３に対する光源ユニット２の取り付け位置を、装置中心軸を中心に当該光源ユニット２を任意の角度だけ回転移動した他の位置に変えることができる。
【００２８】
上述した構成によれば、支柱３に対する光源ユニット２の取り付け位置を、装置中心軸を中心に当該光源ユニット２を回転移動した他の位置に変える際に、その回転移動する角度を連続的に調整できる。このため、光源ユニット２の取り付け位置の調整の自由度を高くできる。
【００２９】
図示を省略するが、上述した構成に代えて、穴２ｇの内周面と支柱３の外周面との間の摩擦力で支持部２ｄを支柱３に固定できる大径部と、当該大径部より外径が小さい小径部とを支柱３に設け、支持部２ｄの位置を支柱３に対し装置中心軸の方向にずらすことで支持部２ｄが大径部と小径部との間で移動できるように構成してもよい。この場合、支持部２ｄの位置を支柱３の大径部から小径部へ移動し、装置中心軸を中心に当該支持部２ｄを回転させた後、当該支持部２ｄを小径部から大径部へ戻すことで、支持部２ｄを回転移動した位置で支柱３に支持部２ｄを再度固定できる。
【００３０】
上述した構成に代えて、支柱３に対する支持部２ｄの取り付け位置を固定するネジ等の固定手段（図示省略）を設け、当該固定手段の締め付けを緩めることで支持部２ｄが支柱３に対して回転可能になり、当該固定手段を再度締め付けることで支柱３に対する支持部２ｄの取り付け位置を再度固定できるように構成しても良い。
【００３１】
本実施の形態１では、全体回転部６を口金４及び基部５に対して回転させることで、支柱３に支持されたすべての光源ユニット２を全体的に装置中心軸を中心として回転させることができる。対象器具のソケットに口金４をねじ込んだときに口金４が止まる回転位置を予測することは難しい。ソケットに口金４をねじ込んで発光装置１Ａを装着した後、全体回転部６を回転させることで、すべての光源ユニット２を全体的に装置中心軸を中心として回転させ、光源ユニット２の向きを最適な向きに調整できる。特に、第二使用状態で発光装置１Ａを使用する場合、ソケットにねじ込まれた口金４が止まった位置で、配光が集中する方向が所望の向き（例えば下方）にならない場合がある。そのような場合に、全体回転部６を回転させることで、配光が集中する方向が所望の向きになるように容易に調整できる。
【００３２】
基部５と全体回転部６との摺動面（図示省略）の摩擦力により、基部５に対する全体回転部６の回転位置を、任意の位置で固定可能である。その摩擦力に対応するトルクを超えるトルクを全体回転部６に加えることで、全体回転部６を基部５に対して回転させることができる。
【００３３】
上述した構成に代えて、基部５に対する全体回転部６の回転位置を固定するネジ等の固定手段（図示省略）を設け、当該固定手段の締め付けを緩めることで全体回転部６が基部５に対して回転可能になり、当該固定手段を再度締め付けることで基部５に対する全体回転部６の回転位置が再度固定されるように構成しても良い。
【００３４】
図５は、本実施の形態１の発光装置１Ａの変形例が備える光源ユニット２及び支柱３を装置中心軸に平行な方向から見た図である。図５では、支柱３を断面で示す。図５に示すように、本変形例における光源ユニット２の支持部２ｄは、支柱３を通す穴２ｈを有する。穴２ｈの形状は、正六角形である。支柱３は、穴２ｈの正六角形に対応する正六角形の断面形状を有する第一部位３ａと、当該正六角形に内接する円形の断面形状を有する第二部位（図示省略）とを有する。支柱３の長手方向において、第二部位は、第一部位３ａに隣接する位置に形成される。穴２ｈの内側に、支柱３の第一部位３ａがほぼ隙間無く嵌合する。穴２ｈの内周面と支柱３の第一部位３ａの外周面との間の摩擦力で、支持部２ｄが支柱３に固定される。その摩擦力を超える装置中心軸方向の力を支持部２ｄに加え、支持部２ｄの位置を、正六角形断面の第一部位３ａから円形断面の第二部位へずらすことで、支持部２ｄを支柱３に対して回転させることができる。支持部２ｄを支柱３に対して６０°の倍数だけ回転移動した位置で、支持部２ｄに装置中心軸方向の力を加えて支持部２ｄの位置を円形断面の第二部位から正六角形断面の第一部位３ａへ戻すことで、支持部２ｄを支柱３に再度固定できる。このようにすることで、本変形例では、支柱３に対する光源ユニット２の取り付け位置を、装置中心軸を中心に当該光源ユニット２を６０°ごとに回転移動した他の位置に変えることができる。このため、第一使用状態から第二使用状態に変えるとき、またはその逆のときに、光源ユニット２の取り付け位置を適正な位置に容易に位置決めできる。
【００３５】
上述のように図５に基づいて説明した構成が、支柱３に対し装置中心軸を中心に回転移動した他の位置に取り付け位置を変えられる光源ユニット２の当該回転移動の角度を複数の角度に選択的に固定する角度固定手段に相当する。本発明では、この角度固定手段の構成は、上述の構成に限定されるものではなく、同様の機能を発揮し得る任意の構成に置換できる。また、図５に基づいて説明した構成において、支持部２ｄの穴２ｈ及び支柱３の第一部位３ａの形状を、正六角形に代えて正Ｎ角形（例えば、Ｎ＝７、８、９、１０、１１、１２、１３、１４など）にすることで、支柱３に対する光源ユニット２の取り付け位置を（３６０／Ｎ）°ごとに位置決めできる。
【００３６】
図６は、本実施の形態１の発光装置１Ａの光源ユニット２及び支柱３を装置中心軸に垂直な方向から見た図である。図６は、発光装置１Ａが備える３個の光源ユニット２のうちの１個の図示を省略し、他の２個の光源ユニット２が装置中心軸を介して互いに１８０°反対側に位置するように取り付けた状態を示す。図６中の左側の光源ユニット２の光源基板２ａ及びヒートシンク２ｃの位置と、図６中の右側の光源ユニット２の光源基板２ａ及びヒートシンク２ｃの位置とは、装置中心軸に平行な方向に関して、完全に一致している。また、図示を省略したもう一つの光源ユニット２の光源基板２ａ及びヒートシンク２ｃの位置と、図６中の２個の光源ユニット２の光源基板２ａ及びヒートシンク２ｃの位置とは、装置中心軸に平行な方向に関して、完全に一致している。このような構成を実現するため、発光装置１Ａが備える３個の光源ユニット２の支持部２ｄの位置は、装置中心軸に平行な方向に関して、少しずつ（支持部２ｄの厚さの分ずつ）異なっている。これにより、３個の光源ユニット２の支持部２ｄが支柱３の付近で重なることで装置中心軸に平行な方向に関して少しずつ支持部２ｄの位置が異なっていても、３個の光源ユニット２の光源基板２ａ及びヒートシンク２ｃの位置を装置中心軸に平行な方向に関して完全に一致させることができる。
【００３７】
本実施の形態１では、発光装置１Ａが備える光源ユニット２の数が３個の場合を例に説明したが、本発明の発光装置が備える光源ユニットの数は３個以上であれば良く、例えば４個、５個、６個、７個、８個、９個、１０個などとしても良い。発光装置が備える光源ユニットの数をＮとしたとき、第一使用状態では、光源ユニットが装置中心軸の周りにほぼ等角度間隔、すなわち（３６０／Ｎ）°間隔で配置されることが好ましい。
【００３８】
発光装置１Ａが備えるすべての光源ユニット２のうちの一つの光源ユニット２は、支柱３に対して回転移動不能に固定されていても良い。例えば、図１中で左側に位置する一つの光源ユニット２が、支柱３に対して完全に固定されていても良い。この場合には、他の二つの光源ユニット２の取り付け位置を、回転移動不能な光源ユニット２に近付けた位置に変えることで、図１のような第一使用状態から図２及び図３のような第二使用状態へ変えることができる。一つの光源ユニット２を支柱３に対して回転移動不能に固定した場合には、当該光源ユニット２の支柱３に対する取り付け強度を向上できるとともに、構造を簡素化できる。
【００３９】
光源ユニット２は、光源基板２ａ及び発光素子２ｂを覆う、透光性を有するカバー部材（図示省略）を備えても良い。このカバー部材は、防水性（防湿性）を有し、光源基板２ａ及び発光素子２ｂを外気から密閉するように覆うことが望ましい。このカバー部材の構成材料は、例えば、ポリカーボネート等のプラスチック系材料、あるいはガラス系材料が好ましい。このようなカバー部材を設けることで、発光装置１Ａの耐環境性を向上でき、屋外に設置される器具に対しても発光装置１Ａを好ましく使用できる。
【００４０】
以上、本発明の実施の形態１について説明したが、本発明の発光装置の適用対象は、本実施の形態１の発光装置１Ａのような、口金を有するランプに限定されるものではない。本発明の発光装置は、例えばダウンライト、高天井照明、投光器などを含む、様々な照明器具に対して適用可能である。
【００４１】
実施の形態２．
次に、図７を参照して、本発明の実施の形態２について説明するが、上述した実施の形態１との相違点を中心に説明し、同一部分または相当部分は同一符号を付し説明を省略する。図７は、本発明の実施の形態２の発光装置１Ｂが備える光源ユニット２及び支柱３を装置中心軸に平行な方向から見た図である。図７では、支柱３を断面で示す。図７は、第二使用状態を示す。
【００４２】
図７に示すように、本実施の形態２の発光装置１Ｂが備える３個の光源ユニット２のうち、第二使用状態のときに中央に位置する１個の光源ユニット２の支持部２ｄは、他の２個の光源ユニット２の支持部２ｄに比べて、長い。このため、第二使用状態のときに中央に位置する１個の光源ユニット２の光源部（発光素子２ｂ）と装置中心軸との距離は、他の２個の光源ユニット２の光源部（発光素子２ｂ）と装置中心軸との距離に比べて大きい。本実施の形態２では、このように構成することで、実施の形態１に比べて、図７中の左側及び右側の光源ユニット２の第二使用状態での取り付け位置を、中央の光源ユニット２にさらに近い位置にすることができる。その結果、第二使用状態で、装置中心軸に平行な方向から見たときの、３個の光源ユニット２からの光照射方向が、実施の形態１に比べて中心角が小さい扇形の範囲に収まる。すなわち、第二使用状態のときの配光を、実施の形態１に比べてさらに集中させることができる。
【００４３】
図示を省略するが、発光装置１Ｂが備える光源ユニット２の数が偶数（例えば４個）の場合には、第二使用状態のときに中央に位置する２個の光源ユニット２の支持部２ｄを、他の光源ユニット２の支持部２ｄに比べて長くしても良い。すなわち、第二使用状態のときに中央に位置する２個の光源ユニット２の光源部（発光素子２ｂ）と装置中心軸との距離を、他の光源ユニット２の光源部（発光素子２ｂ）と装置中心軸との距離に比べて大きくしても良い。このようにすることで、上記と同様の効果が得られる。
【００４４】
以上、本発明の実施の形態について説明したが、本発明では、上述した複数の実施の形態の特徴を任意に組み合わせて実施することが可能である。
【符号の説明】
【００４５】
１Ａ，１Ｂ  発光装置、２  光源ユニット、２ａ  光源基板、２ｂ  発光素子、２ｃ  ヒートシンク、２ｄ  支持部、２ｅ  伝熱部、２ｆ  フィン、２ｇ，２ｈ  穴、３  支柱、３ａ  第一部位、４  口金、５  基部、６  全体回転部、１０，１１，１２  風路
【図１】
2016058139.tif 000003
【図２】
2016058139.tif 000004
【図３】
2016058139.tif 000005
【図４】
2016058139.tif 000006
【図５】
2016058139.tif 000007
【図６】
2016058139.tif 000008
【図７】
2016058139.tif 000009